(57)【特許請求の範囲】
【請求項１】
車体内に形成したバッテリ収納室の開口部が該車体の側面に形成され、バッテリ収納室の底面に複数のローラベアリングを備えたローラテーブルが配置されており、前記開口部を通ってバッテリ収納室内に出し入れ可能に収納したバッテリケースが前記ローラベアリング上に載置されるようにしたバッテリ式フォークリフトにおいて、前記バッテリケースの下面とバッテリ収納室の底面との間に、該バッテリケースの前後位置を前記バッテリ収納室内の略中央に規制する位置規制手段が設けられ、該位置規制手段が、前記バッテリ収納室の底面に出し入れ方向に沿って突設した固定側ガイドレールと、前記バッテリケースの下面に出し入れ方向に沿って突設し前記固定側ガイドレールに接触して摺動する可動側ガイドレールとからなり、前記固定側ガイドレールの先端部は外広がりに形成され、前記可動側ガイドレールの先端部は内広がりに形成されていることを特徴とするバッテリ式フォークリフト。
【請求項２】
車体内に形成したバッテリ収納室の開口部が該車体の側面に形成され、バッテリ収納室の底面に複数のローラベアリングを備えたローラテーブルが配置されており、前記開口部を通ってバッテリ収納室内に出し入れ可能に収納したバッテリケースが前記ローラベアリング上に載置されるようにしたバッテリ式フォークリフトにおいて、前記バッテリケースの下面とバッテリ収納室の底面との間に、該バッテリケースの前後位置を前記バッテリ収納室内の略中央に規制する位置規制手段が設けられ、該位置規制手段が、前記バッテリ収納室の底面とバッテリケースの下面とのうち、その一方に出し入れ方向に沿って突設されたガイドレールと、その他方に設けられて前記ガイドレールに接触して転動するガイドローラとからなり、前記ガイドレールの先端部は外広がりに形成されていることを特徴とするバッテリ式フォークリフト。
【発明の詳細な説明】
【０００１】
【発明の属する技術分野】
本発明は、例えばリーチ型バッテリ式フォークリフトなどの車体内に形成したバッテリ収納室に対して側方からバッテリケースの出し入れを行なうようにしたバッテリ式フォークリフトに関する。
【０００２】
【従来の技術】
従来、バッテリ式フォークリフトの一例として、車体に形成したバッテリ収納室に対して前方からバッテリケースの出し入れを行うようにしたものがあるが、これでは、構造が複雑でバッテリケースの出し入れに動力が必要であって製作費が高くつく。
【０００３】
上記欠点を解消するものとして図１７に示すものがある。これは、リーチ型であって、ドライブタイヤ１ａやキャスタタイヤ１ｂ及びロードホイール１ｃを有する車体１内に形成したバッテリ収納室２の開口部２ａが該車体１の側面に形成され、バッテリ収納室２の底部に複数のローラベアリング３ａを２列備えたローラテーブル３が配置され、バッテリ収納室２内に収納したバッテリケース４がその下面に設けた一対の当て板４ａを介して各ローラベアリング３ａ上に載置されている。
【０００４】
なお、５は下端に設けた回転子６をストラドルレッグ７の内側面に形成したガイド溝８に嵌入させることにより前後移動可能な一対の外側マストであって、その内側に一対の内側マスト９が昇降可能に配設され、該両内側マスト９にリフトフレーム１０が昇降可能に支持され、該リフトフレーム１０に設けたフォーク１１によりパレットＰを介して荷物Ｗを持ち上げるようになっている。
【０００５】
上記構成において、バッテリケース４を交換する場合には、図１８に示すように、車体１をローラベアリング１３ａを備えた交換台１３に接近させて、該交換台１３に開口部２ａを対向させた後、バッテリ収納室２内のバッテリケース４を交換台１３上まで矢印ｂ方向に引き出し、新規のバッテリケース４を交換台１３からバッテリ収納室２内に矢印ａ方向に押し込めばよい。
【０００６】
【発明が解決しようとする課題】
上記従来の構成では、バッテリケース４を交換時に床面上などに載置した際に、該バッテリケース４の当て板４ａが床面上の突起部などに当たって変形されたり曲がったりすることがあり、このようなバッテリケース４をバッテリ収納室２内に押し込むと、当て板４ａの変形したり曲がった部分がローラベアリング３ａに当たることにより、バッテリケース４が出し入れ方向ａ，ｂとは直交する前後方向ｃ，ｄに片寄ってその側面４ｂがバッテリ収納室２の内側面２ｂに面接触したり〔図１９（ａ）参照〕、バッテリケース４が傾いてその上下端縁４ｃ，４ｄがバッテリ収納室２の内側面２ｂに擦れたりして〔図１９（ｂ）参照〕、バッテリケース４の出し入れを円滑に行なうことが困難になるおそれがある。
【０００７】
本発明は、上記従来の欠点に鑑み、バッテリーケースの出し入れを円滑に行なうことができるバッテリ式フォークリフトを提供することを目的としている。
【０００８】
【課題を解決するための手段】
上記目的を達成するため、請求項１記載の発明は、車体内に形成したバッテリ収納室の開口部が該車体の側面に形成され、バッテリ収納室の底面に複数のローラベアリングを備えたローラテーブルが配置されており、前記開口部を通ってバッテリ収納室内に出し入れ可能に収納したバッテリケースが前記ローラベアリング上に載置されるようにしたバッテリ式フォークリフトにおいて、前記バッテリケースの下面とバッテリ収納室の底面との間に、該バッテリケースの前後位置を前記バッテリ収納室内の略中央に規制する位置規制手段が設けられ、該位置規制手段が、前記バッテリ収納室の底面に出し入れ方向に沿って突設した固定側ガイドレールと、前記バッテリケースの下面に出し入れ方向に沿って突設し前記固定側ガイドレールに接触して摺動する可動側ガイドレールとからなり、前記固定側ガイドレールの先端部は外広がりに形成され、前記可動側ガイドレールの先端部は内広がりに形成されていることを特徴としている。
【０００９】
また請求項２記載の発明は、車体内に形成したバッテリ収納室の開口部が該車体の側面に形成され、バッテリ収納室の底面に複数のローラベアリングを備えたローラテーブルが配置されており、前記開口部を通ってバッテリ収納室内に出し入れ可能に収納したバッテリケースが前記ローラベアリング上に載置されるようにしたバッテリ式フォークリフトにおいて、前記バッテリケースの下面とバッテリ収納室の底面との間に、該バッテリケースの前後位置を前記バッテリ収納室内の略中央に規制する位置規制手段が設けられ、該位置規制手段が、前記バッテリ収納室の底面とバッテリケースの下面とのうち、その一方に出し入れ方向に沿って突設されたガイドレールと、その他方に設けられて前記ガイドレールに接触して転動するガイドローラとからなり、前記ガイドレールの先端部は外広がりに形成されていることを特徴としている。
【００１０】
【発明の実施の形態】
図１及び図２は本発明の第１の実施の形態であるリーチ型バッテリ式フォークリフトを示すものであって、バッテリケース４の下面とバッテリ収納室２の底面との間に、該バッテリケース４をその出し入れ方向ａ，ｂとは直交する方向ｃ，ｄに位置ずれさせないようにそのバッテリケース４の前後位置をバッテリ収納室２内の略中央に規制するする位置規制手段１５が設けられている。上記以外の構成は図１７及び図１８に示す構成とほぼ同じであるから、同一部分に同一符号を付してその説明を省略する。
【００１１】
前記位置規制手段１５は、図３〜図５に示すように、ローラテーブル３の支持枠３ｂに出し入れ方向ａ，ｂに沿って突設された互いに所定間隔をおいて平行する一対の固定側ガイドレール１６と、バッテリケース４の下面に出し入れ方向ａ，ｂに沿って突設されて両固定側ガイドレール１６の内側面に接触して摺動する一対の可動側ガイドレール１７とからなっている。
【００１２】
上記構成において、バッテリケース４を交換する場合には、図２に示すように、車体１をローラベアリング１３ａを備えた交換台１３に接近させて、該交換台１３に開口部２ａを対向させた後、バッテリ収納室２内のバッテリケース４を交換台１３上まで矢印ｂ方向に引き出した後、新規のバッテリケース４を交換台１３上に載置して矢印ａ方向に押し出せばよい（図４仮想線参照）。これによって、バッテリケース４の両可動側ガイドレール１７がバッテリ収納室２の両固定側ガイドレール１６に接触して摺動することにより、両当たり板４ａがローラベアリング３ａ上に載置され、バッテリケース４がバッテリ収納室２内に収納される。
【００１３】
この場合、バッテリ収納室２内にバッテリケース４を収納したときに、両可動側ガイドレール１７が固定側ガイドレール１６に接触して摺動するので、従来のようにバッテリケース４が片寄ったり傾いたりして位置ずれすることがなく、そのバッテリケース４の出し入れを円滑に行なうことができる。
【００１４】
また、両固定側ガイドレール１６の先端部１６ａが外広がりの「ハ」の字状に形成されているのに対して、その先端部１６ａに対向する両可動側ガイドレール１７の先端部１７ａが内すぼまりの「ハ」の字状に形成されているので、その両可動側ガイドレールを両固定側ガイドレール１６に対して確実且つ容易に接触して摺動させることができる。
【００１５】
更に、両可動側ガイドレール１７が両当て板４ａよりも下方に突出されており、該可動側ガイドレール１７を介してバッテリケース４を床面上に載置したときに、両当て板４ａが床面から離間されるので、その両当て板４ａが床面上の突起部などに当たって変形されたり曲がったりするおそれがない。
【００１６】
図６〜図８は本発明の第２の実施の形態であるリーチ型バッテリ式フォークリフトを示すものであって、位置規制手段１５が、バッテリケース４の下面に出し入れ方向ａ，ｂに沿って突設された互いに所定間隔をおいて平行する一対のガイドレール１９と、ローラテーブル３に出し入れ方向ａ，ｂに沿って２列配置されて両ガイドレール１９の内側面に接触して転動する複数（この実施の形態では６個）のガイドローラ２０とからなっている。上記以外の構成及びバッテリケース４の交換作業は図１〜図５に示す第１の実施の形態とほぼ同じであるから、同一部分に同一符号を付してその説明を省略する。
【００１７】
上記構成によれば、バッテリ収納室２内にバッテリケース４を収納したときに、２列のガイドローラ２０が両ガイドレール１９の内側面に接触して転動するので、従来のようにバッテリケース４が片寄ったり傾いたりして位置ずれすることがなく、そのバッテリケース４の出し入れを円滑に行なうことができる。
【００１８】
また、両ガイドレール１９の先端部１９ａが外広がりの「ハ」の字状に形成されているので、そのガイドレール１９を各ガイドローラ２０に対して確実且つ容易に係合させることができる。
【００１９】
更に、両ガイドレール１９が両当て板４ａよりも下方に突出されており、該両ガイドレール１９を介してバッテリケース４を床面上に載置したときに、両当て板４ａが床面から離間されるので、その両当て板４ａが床面上の突起部などに当たって変形されたり曲がったりするおそれがない。
【００２０】
上記の第２の実施の形態では、バッテリケース４の下面に両ガイドレール１９を突設すると共に、ローラテーブル３に各ガイドローラ２０を配置したが、その逆に、バッテリケース４の下面に各ガイドローラ２０を配置すると共に、ローラテーブル３に両ガイドレール１９を突設してもよい。
【００２１】
図９〜図１１は本発明の第３の実施の形態であるリーチ型バッテリ式フォークリフトを示すものであって、位置規制手段１５が、バッテリケース４の下面中央部に出し入れ方向ａ，ｂに沿って突設された１本のガイドレール２２と、ローラテーブル３に出し入れ方向ａ，ｂに沿って２列配置されてガイドレール２２の両側面に接触して転動する複数（この実施の形態では６個）のガイドローラ２３とからなっている。上記以外の構成及びバッテリケース４の交換作業は図１〜図５に示す第１の実施の形態とほぼ同じであるから、同一部分に同一符号を付してその説明を省略する。
【００２２】
上記構成によれば、バッテリ収納室２内にバッテリケース４を収納したときに、２列のガイドローラ２３によりガイドレール２２を両側から挟持するので、従来のようにバッテリケース４が片寄ったり傾いたりして位置ずれすることがなく、そのバッテリケース４の出し入れを円滑に行なうことができる。
【００２３】
また、ガイドレール２２の先端部２２ａが先すぼまり状に形成されているので、そのガイドレール２２を２列のガイドローラ２３間に確実に嵌入させることができる。
【００２４】
更に、バッテリケース４の下面両側縁に一対の脚板２４が突設されており、その両脚板２４の突出長さＨがガイドレール２２の突出長さｈと同一またはそれより若干大きく設定されている。従って、両脚板２４を介してバッテリケース４を床面上に水平状に載置することができると共に、両当て板４ａが床面から離間されるので、その両当て板４ａが床面上の突起部などに当たって変形されたり曲がったりするおそれがない。
【００２５】
上記の第３の実施の形態では、バッテリケース４の下面にガイドレール２２を突設すると共に、ローラテーブル３に２列のガイドローラ２３を配置したが、その逆に、バッテリケース４の下面に２列のガイドローラ２３を配置すると共に、ローラテーブル３にガイドレール２２を突設してもよい。
【００２６】
図１２〜図１５は本発明の第４の実施の形態であるリーチ型バッテリ式フォークリフトを示すものであって、位置規制手段１５が、各当て板４ａの外周縁に出し入れ方向ａ，ｂに沿って一体形成されてローラベアリング３ａの外周縁３Ａに当接する突条２６からなっている。上記以外の構成及びバッテリケース４の交換作業は図１〜図５に示す第１の実施の形態とほぼ同じであるから、同一部分に同一符号を付してその説明を省略する。
【００２７】
上記構成によれば、バッテリ収納室２内にバッテリケース４を収納したときに、該バッテリケース４の当て板４ａに一体形成した突条２６がローラベアリング３ａに接触して転動するので、従来のようにバッテリケース４が片寄ったり傾いたりして位置ずれすることがなく、そのバッテリケース４の出し入れを円滑に行なうことができ、特に、突条２６を各当て板４ａに一体形成するだけでよいから、既存の構造をほとんどそのまま利用することができ、製作費が安くつく。
【００２８】
また、各ローラベアリング３ａの外周縁３Ａが円弧状に面取りされているので、図１５に仮想線で示すように、バッテリケース４が不測に傾いて突条２６が各ローラベアリング３ａに乗り上げても、その突条２６が円弧状外周縁３Ａ上を滑って直ちに元の状態（図１５実線参照）に戻すことができる。
【００２９】
更に、突条２６付き当て板４ａを摩擦抵抗が小さい硬質合成樹脂材により成形することが好ましい。これによって、安価に量産することができる。
【００３０】
しかも、突条２６付き当て板４ａをバッテリケース４の下面にビスにより止着してもよいが、これに限定されるわけではなく、図１５に示すように、突条２６付き当て板４ａをバッテリケース４の下面周縁に突設した縁板部２８内にセットすると共に、バッテリケース４の下面に固着した複数の略Ｌ字状板ばね製係止具２９の円弧部２９ａを当て板４ａに弾性的に係合させることにより、その突条２６付き当て板４ａをバッテリケース４の下面に取外し可能に配置してもよい。
【００３１】
上記構成において、突条２６付き当て板４ａが損傷されたときには、係止具２９を弾性変形させて（図１５仮想線参照）、その突条２６付き当て板４ａをバッテリケース４の下面から取り外した後、新規の突条２６付き当て板４ａを縁板部２８と係止具２９との間に押し込むだけでよい。これによって、新規の突条２６付き当て板４ａを縁板部２８と係止具２９とで挟持してバッテリケース４の下面の所定位置に確実に係止することができ、その交換作業を迅速容易に行なうことができる。
【００３２】
上記の第４の実施の形態では、各当て板４ａの外周縁に突条２６を出し入れ方向ａ，ｂに沿って一体形成したが、これに限定されるわけではなく、図１６に示すように、各当て板４ａの内周縁に突条２６を出し入れ方向ａ，ｂに沿って一体形成し、その突条２６を各ローラベアリング３ａの円弧面状内周縁３Ｂに当接させるようにしてもよく（第５の実施の形態）、その作用効果は第４の実施の形態とほぼ同じであるから、その説明を省略する。
【００３３】
第４及び第５の実施の形態では、位置規制手段１５として当て板４ａに突条２６を一体形成したが、これに限定されるわけではなく、その突条２６の代わりに位置規制手段１５としてローラベアリング３ａにフランジを一体形成し、そのフランジを当て板４ａに当接させてバッテリケース４が出し入れ方向ａ，ｂとは直交する方向ｃ，ｄに位置ずれしないようにしてもよい。
【００３４】
【発明の効果】
請求項１及び２記載の各発明によれば、バッテリ収納室内に対してバッテリケースを出し入れする際に、そのバッテリケースが片寄ったり傾いたりして位置ずれしかけても、その位置ずれをバッテリケースの下面とバッテリ収納室の底面との間に設けた位置規制手段により規制、即ち該バッテリケースの前後位置をバッテリ収納室内の略中央に規制するので、従来のようにバッテリケースの側面や上下端縁がバッテリ収納室の内側面に接触することがなく、そのバッテリケースの出し入れを円滑に行なうことができる。
【図面の簡単な説明】
【図１】  本発明の第１の実施の形態であるリーチ型バッテリ式フォークリフトを示す側面図である。
【図２】  同バッテリケースの交換状態を示す斜視図である。
【図３】  同要部の縦断面図である。
【図４】  同要部の水平断面図である。
【図５】  同要部の分解斜視図である。
【図６】  本発明の第２の実施の形態であるリーチ型バッテリ式フォークリフトを示す要部の縦断面図である。
【図７】  同要部の水平断面図である。
【図８】  同要部の分解斜視図である。
【図９】  本発明の第３の実施の形態であるリーチ型バッテリ式フォークリフトを示す要部の縦断面図である。
【図１０】  同要部の水平断面図である。
【図１１】  同要部の分解斜視図である。
【図１２】  本発明の第４の実施の形態であるリーチ型バッテリ式フォークリフトを示す要部の縦断面図である。
【図１３】  同要部の水平断面図である。
【図１４】  同要部の分解斜視図である。
【図１５】  同要部の拡大縦断面図である。
【図１６】  本発明の第５の実施の形態であるリーチ型バッテリ式フォークリフトを示す要部の縦断面図である。
【図１７】  従来例を示す側面図である。
【図１８】  同バッテリケースの交換状態を示す斜視図である。
【図１９】  （ａ）はバッテリケースを片寄らせた状態の要部の側面図、（ｂ）はバッテリケースを傾けた状態の要部の側面図である。
【符号の説明】
１              車体
２              バッテリ収納室
２ａ            バッテリ収納室の開口部
３              ローラテーブル
３ａ            ローラテーブルのローラベアリング
４              バッテリケース
１５            位置規制手段
１６            固定側ガイドレール
１７            可動側ガイドレール
１９            ガイドレール
２０            ガイドローラ
２２            ガイドレール
２３            ガイドローラ
２６            突条（位置規制手段）
２９            係止具
ａ，ｂ          出し入れ方向
【図１】
0003804919.tif 000002
【図２】
0003804919.tif 000003
【図３】
0003804919.tif 000004
【図４】
0003804919.tif 000005
【図５】
0003804919.tif 000006
【図６】
0003804919.tif 000007
【図７】
0003804919.tif 000008
【図８】
0003804919.tif 000009
【図９】
0003804919.tif 000010
【図１０】
0003804919.tif 000011
【図１１】
0003804919.tif 000012
【図１２】
0003804919.tif 000013
【図１３】
0003804919.tif 000014
【図１４】
0003804919.tif 000015
【図１５】
0003804919.tif 000016
【図１６】
0003804919.tif 000017
【図１７】
0003804919.tif 000018
【図１８】
0003804919.tif 000019
【図１９】
0003804919.tif 000020